(57)【要約】【課題】  クライアント端末装置ＭＴの認証を確実に行ってセキュリティを保障しつつドキュメント処理装置ＭＦＤによるドキュメント処理を実行する。【解決手段】  クライアント端末装置ＭＴとドキュメント処理装置ＭＦＤとが、第１の通信手段１、１１によりドキュメント処理ジョブに係る無線通信を行い、また、当該第１の通信手段より近距離無線通信する第２の通信手段２、１２により当該クライアント端末装置の認証に係る通信を行う。そして、ドキュメント処理装置ＭＦＤが受信した認証情報に基づいてクライアント端末装置ＭＴの認証処理を行い、これを条件に、クライアント端末装置ＭＴから受信したドキュメント処理ジョブを実行する。例えば、第１の通信手段１、１１として無線ＬＡＮアドホック通信を用い、第２の通信手段２、１２として赤外線通信等の近距離無線通信を用いる。【選択図】  図１
2006173949.tif 000002
【特許請求の範囲】
【請求項１】
クライアント端末装置から送信されたドキュメント処理ジョブをドキュメント処理装置が実行するドキュメント処理システムであって、
クライアント端末装置とドキュメント処理装置はそれぞれ、ドキュメント処理ジョブに係る無線通信を行う第１の通信手段と、当該クライアント端末装置の認証に係る通信を行う第２の通信手段とを備え、
当該ドキュメント処理装置は、当該第２の通信手段により受信した認証情報に基づいてクライアント端末装置の認証処理を行う認証手段と、当該認証されたクライアント端末装置から受信したドキュメント処理ジョブを実行するドキュメント処理手段と、を備えることを特徴とするドキュメント処理システム。
【請求項２】
請求項１に記載のドキュメント処理システムにおいて、
クライアント端末装置とドキュメント処理装置は、前記第２の通信手段として前記第１の通信手段より近距離の通信を行う無線通信手段を備えていることを特徴とするドキュメント処理システム。
【請求項３】
請求項１又は請求項２に記載のドキュメント処理システムにおいて、
前記ドキュメント処理ジョブは、クライアント端末装置から第１の通信手段により送信されるドキュメントデータの印刷処理であり、
前記ドキュメント処理手段は、当該ドキュメントデータに基づく印刷処理を行うことを特徴とするドキュメント処理システム。
【請求項４】
請求項１又は請求項２に記載のドキュメント処理システムにおいて、
前記ドキュメント処理ジョブは、クライアント端末装置から第１の通信手段により送信されるドキュメントデータの指定パスへの読み込み格納であり、
前記ドキュメント処理手段は、ドキュメント端末装置の指定パスへ送信すべく、ドキュメントをスキャナ読取処理することを特徴とするドキュメント処理システム。
【請求項５】
請求項１乃至請求項４のいずれか１項に記載のドキュメント処理システムにおいて、
前記ドキュメント処理装置は、前記ドキュメント処理ジョブに係る情報を画面表示してユーザから処理の操作入力を受け付けるユーザインタフェースを備えていることを特徴とするドキュメント処理システム。
【請求項６】
請求項１又は請求項２に記載のドキュメント処理システムにおいて、
前記クライアント端末装置は、前記ドキュメント処理ジョブに係るデータ量が所定量以下の場合に、当該ドキュメントデータを含むドキュメント処理ジョブを前記第２の通信手段によりドキュメント処理装置へ送信する選択手段を備えていることを特徴とするドキュメント処理装置。
【請求項７】
請求項１又は請求項２に記載のドキュメント処理システムにおいて、
前記ドキュメント処理装置は、前記ドキュメント処理ジョブに係るデータ量が所定量以下の場合に、当該ドキュメント処理ジョブに係るドキュメントデータを前記第２の通信手段によりクライアント端末装置へ送信する選択手段を備えていることを特徴とするドキュメント処理装置。
【請求項８】
クライアント端末装置から送信されたドキュメント処理ジョブを実行するドキュメント処理装置であって、
クライアント端末装置とドキュメント処理ジョブに係る無線通信を行う第１の通信手段と、当該クライアント端末装置の認証に係る通信を当該第１の通信手段より近距離無線通信で行う第２の通信手段と、当該第２の通信手段により受信した認証情報に基づいてクライアント端末装置の認証処理を行う認証手段と、当該認証されたクライアント端末装置から受信したドキュメント処理ジョブを実行するドキュメント処理手段と、を備えることを特徴とするドキュメント処理装置。
【請求項９】
請求項８に記載のドキュメント処理装置において、
前記ドキュメント処理ジョブに係る情報を画面表示してユーザから処理の操作入力を受け付けるユーザインタフェースを備えていることを特徴とするドキュメント処理装置。
【請求項１０】
クライアント端末装置から送信されたドキュメント処理ジョブを実行するドキュメント処理装置をコンピュータにより構成するプログラムであって、
クライアント端末装置とドキュメント処理ジョブに係る無線通信を行う第１の通信手段と、当該クライアント端末装置の認証に係る通信を当該第１の通信手段より近距離無線通信で行う第２の通信手段と、当該第２の通信手段により受信した認証情報に基づいてクライアント端末装置の認証処理を行う認証手段と、当該認証されたクライアント端末装置から受信したドキュメント処理ジョブを実行するドキュメント処理手段と、をコンピュータに構成することを特徴とするドキュメント処理プログラム。
【請求項１１】
クライアント端末装置から送信されたドキュメント処理ジョブをドキュメント処理装置が実行するドキュメント処理方法であって、
クライアント端末装置とドキュメント処理装置とが、第１の通信手段によりドキュメント処理ジョブに係る無線通信を行い、また、当該第１の通信手段より近距離無線通信する第２の通信手段により当該クライアント端末装置の認証に係る通信を行い、
当該ドキュメント処理装置が、当該第２の通信手段により受信した認証情報に基づいてクライアント端末装置の認証処理を行い、当該認証されたクライアント端末装置から受信したドキュメント処理ジョブを実行することを特徴とするドキュメント処理方法。
【発明の詳細な説明】
【技術分野】
【０００１】
本発明は、モバイル機器等のクライアント端末装置からのドキュメント処理ジョブをプリンタ装置等のドキュメント処理装置が実行するドキュメント処理技術に関し、特に、ドキュメント処理を実行するに際してクライアント端末装置を認証するための通信技術に関する。
【背景技術】
【０００２】
近年、有線ＬＡＮを用いたネットワーク通信に対して、無線通信の高速化や規格化による相互接続性の改善により、無線通信によるネットワーク環境が拡大しつつある。例えば、無線ＬＡＮのIEEE802.11系、Bluetoothなどの近距離無線通信を用いたデータの送受信が実用化されている。
プリンタ装置、スキャナ装置、これらドキュメント処理機能を複合的に備えた複合機等といったドキュメント処理装置も無線通信機能を搭載することで、オフィスに限らず、店舗、公共スペース等において、モバイルＰＣ、ＰＤＡ、携帯電話機等といったクライアント端末装置とワイヤレスで接続し、クライアント装置からのドキュメント処理ジョブを実行することが可能となっている。特に、外出先でのプリントニーズではワイヤレスによる利便性は大きく、今後、無線を用いたプリント出力の利用が拡大されることが予測されている。
【０００３】
このような無線プリントに用いることができる通信手段として、例えば、IEEE802.11系無線ＬＡＮ通信では、クライアント端末装置がアクセスポイント（ＡＰ）と呼ばれる無線基地局を経由して、ドキュメント処理装置にネットワーク接続されるインフラストラクチャモードと、アクセスポイントを経由することなく、クライアント端末装置がドキュメント処理装置に直接接続するアドホックモードとがサポートされている。
なお、通常は、アクセスポイントを経由してＬＡＮに接続することを前提としているため、プリンタ等のドキュメント処理装置もインフラストラクチャモードで接続されるようにＬＡＮ上に置かれている。
【０００４】
このため、外出先のオフィス等でクライアント端末装置からドキュメント処理装置を利用してドキュメント印刷をする場合には、先ずクライアント端末装置をアクセスポイントに接続し、そのネットワーク上にあるドキュメント処理装置にプリント処理ジョブを出力することが必要となる。
【０００５】
しかしながら、クライアント端末装置をアクセスポイントに接続するためには、アクセスポイントの検索、当該アクセスポイントのサービスセットＩＤ（ＥＳＳＩＤ）やＭＡＣアドレス情報の取得、ＬＡＮ接続のためのＩＰアドレスの取得が必要となる。更には、セキュリティ対策から、無線接続時の認証や暗号化処理を行う場合もあり、認証を行う場合には、特定のユーザしか接続が許可されないため、事前にクライアント端末装置の情報を登録する必要があり、  また、暗号化処理された場合では、暗号鍵情報が必要となる。
したがって、外部環境においては、これらアクセスポイントに接続するための設定情報等を予め設定しておく必要があり、極めて煩雑な処理や操作が必要とされる。
【０００６】
また、クライアント端末装置をアクセスポイントに接続しても、ジョブ内容に適したドキュメント処理装置を検索する必要があり、例えば、ユーザの目の前のプリンタ装置にプリント出力したい場合でも、当該プリンタで処理するためにはプリンタのＩＰアドレスやホスト名等の情報が必要となって容易ではない。
このような接続操作の煩わしさを解消する方法として、クライアント端末装置とドキュメント処理装置をと一対一で直接無線接続するアドホックモード接続を利用する方法が考えられる。すなわち、クライアント端末装置と目的のドキュメント処理装置とを直接接続することで、クライアント端末装置はネットワークに接続する必要なくして、接続先となるドキュメント処理装置との間で予め規定した手順を踏むことで無線通信に係わる設定を取り交わし、ドキュメント処理ジョブをドキュメント処理装置へ送信して実行させることができる。
【０００７】
ここで、携帯情報機器が接続可能な印刷装置を検索し、表示中のＷｅｂ情報のＵＲＬ情報を送信し、印刷装置が受信したＵＲＬ情報に基づいてＷｅｂ情報にアクセスして印刷する発明が提案されている（特許文献１参照。）。
また、近距離の無線通信を行うデータ通信手段と機器の認証を行う認証手段とを備えた機器が複数存在する状況において、機器同士が発生する電波範囲内に入ったときに、認証手段が自動的に或いはユーザが認識して相互の認証を行う発明が提案されている（特許文献２参照。）。
また、無線通信機能を有する機器が通信可能範囲内にある予め設定した接続機器を検索し、当該接続機器が存在するときには、接続手続を実施して無線通信を確立する発明が提案されている（特許文献３参照。）。
また、無線データ通信装置と７台のプリント装置とを近距離高周波無線接続し、無線データ通信装置が、各プリント装置から取得した用紙サイズ等のプリンタ設定に基づいて、プリントデータを各プリント装置に振り分ける発明が提案されている（特許文献４参照。）。
また、携帯電話機のようなネットワーク通信を行う主たる無線通信機能とブルートゥースのような近距離無線通信機能とを備えた機器が、近隣に存在する他の機器の内の設定した条件に合致するものを相手として、当該他の機器と近距離無線通信により直接データ伝送する発明が提案されている（特許文献５参照。）。
【特許文献１】特開２００２―１１６８９８号公報。
【特許文献２】特開２００２―１１８５７７号公報。
【特許文献３】特開２００３―０２３６６２号公報。
【特許文献４】特開２００３―１９６０４０号公報。
【特許文献５】特開２００３―３４８１００号公報。
【発明の開示】
【発明が解決しようとする課題】
【０００８】
ここで、無線通信によりドキュメントを送受信する場合には、電波傍受によるデータの漏洩とともに、ドキュメント処理のために接続するクライアント端末装置とドキュメント処理装置と間で認証を行ってセキュリティを保障する必要がある。
また、クライアント端末装置が、モバイルコンピュータのように十分な操作入力手段と情報表示用画面を保有している装置の場合には然程問題とはならないが、携帯電話機やＰＤＡ等のようなモバイル機器の場合には、ドキュメント処理装置でユーザが意図する処理を行わせるための操作性や情報確認性が十分とは言えなかった。
【０００９】
本発明は、上記従来の事情に鑑みなされたのもであり、クライアント端末装置を確実に認証させた上でドキュメント処理装置によるドキュメント処理を実行させることを目的としている。
また、本発明は、クライアント端末装置が十分な操作性や情報確認性を有しない装置であっても、ドキュメント処理装置でユーザが意図する処理を容易に行うことができるようにすることを目的としている。
【課題を解決するための手段】
【００１０】
本発明は、クライアント端末装置から送信されたドキュメント処理ジョブをドキュメント処理装置が実行するドキュメント処理システム、このようなドキュメント処理システムを構成するドキュメント処理装置、このようなドキュメント処理装置をコンピュータにより構成するプログラム、このようなドキュメント処理システムにより実施される方法である。
【００１１】
ここに、クライアント端末装置としては、例えば、モバイルコンピュータ、ＰＤＡ、携帯電話機等の情報処理機器が用いられる。
ドキュメント処理装置としては、例えば、プリンタ装置、スキャナ装置、ファクシミリ装置、コピー装置、これら機能を複合的に備えた複合機等のドキュメント処理を行う装置が用いられる。
なお、クライアント端末装置とドキュメント処理装置とは、ドキュメント処理ジョブに係る無線通信を行う第１の通信手段と、当該クライアント端末装置の認証に係る通信を行う第２の通信手段とを備えた装置である。
また、ドキュメント処理ジョブとしては、例えば、クライアント端末装置から第１の通信手段により送信されるドキュメントデータの印刷処理であって、ドキュメント処理装置が当該ドキュメントデータに基づく印刷処理を行う、或いは、ドキュメントデータの指定パスへの読み込み格納であって、ドキュメント処理装置がドキュメント端末装置の指定パスへ送信すべくドキュメントをスキャナ読取処理する等である。
【００１２】
本発明では、クライアント端末装置とドキュメント処理装置はそれぞれ、第１の通信手段によりドキュメント処理ジョブに係る無線通信を行い、また、第２の通信手段により当該クライアント端末装置の認証に係る通信を行い、ドキュメント処理装置は、第２の通信手段により受信した認証情報に基づいて認証手段がクライアント端末装置の認証処理を行い、認証されたクライアント端末装置から受信したドキュメント処理ジョブ（例えば、受信したドキュメントデータの印刷、スキャナ読み取りしたドキュメントデータのクライアント端末装置への送信等）をドキュメント処理手段が実行する。
したがって、第１の通信手段によるドキュメント処理ジョブの通信とは別に、第２の通信手段による認証情報通信でクライアント端末装置を認証したことを条件に、ドキュメント処理装置によるドキュメント処理が実行される。
【００１３】
ここで、本発明では、クライアント端末装置とドキュメント処理装置が、前記第２の通信手段として、赤外線による無線通信、Bluetooth（ブルートゥース）による無線通信、ＲＦＩＤからの無線読み取り通信等といった第１の通信手段より近距離の通信を行う無線通信手段を備え、当該近距離の通信により認証情報の通信を行うようにするのが好ましい。更に好ましくは、ドキュメント処理装置にクライアント端末装置を装着する部位を設けておき、当該部位にクライアント端末装置を装着することで認証情報やドキュメント処理ジョブの通信を行うようにする。
このように近距離通信によることで、上記の認証処理が行われることに加えて、ユーザはクライアント端末装置と共に処理を行うドキュメント処理装置を目視確認した上で処理を実行させることができる。
なお、第２の通信手段として、クライアント端末装置とドキュメント処理装置とをＵＳＢケーブル等で都度接続して通信を行うようにしてもよい。
【００１４】
また、本発明では、ドキュメント処理装置はドキュメント処理ジョブに係る情報を画面表示してユーザから処理の操作入力を受け付けるユーザインタフェースを備えているのが好ましく、これによって、操作性や情報表示性に限りあるクライアント端末装置に代えて、ドキュメント処理装置に設けた十分な操作性や情報表示性を有するユーザインタフェースによりユーザがドキュメント処理操作を行うことができる。
【００１５】
また、本発明では、クライアント端末装置又はドキュメント処理装置に、ドキュメント処理ジョブに係るデータ量が所定量以下の場合には当該ドキュメント処理ジョブに係るドキュメントデータを第２の通信手段により送信する選択手段を設けてもよく、例えば、比較的小さなドキュメントデータを含むドキュメント印刷の処理ジョブは第１の通信手段を用いるまでもなく認証情報と同じく第２の通信手段によりドキュメント処理装置へ送信する、或いは、スキャナ読み取りの処理ジョブに係る比較的小さなドキュメントデータは第１の通信手段を用いるまでもなく認証情報と同じく第２の通信手段によりクライアント端末装置へ送信するようにしてもよい。
【発明の効果】
【００１６】
本発明によると、ドキュメント処理ジョブの通信とは別に第２の通信手段による認証情報通信でクライアント端末装置を認証した上でドキュメント処理装置によるドキュメント処理を実行するようにしたため、クライアント端末装置の認証を確実に行ってセキュリティを保障しつつドキュメント処理装置によるドキュメント処理を実行することができる。
【発明を実施するための最良の形態】
【００１７】
本発明を一実施形態に基づいて具体的に説明する。
図１には本例に係るドキュメント処理システムを示してあり、本例では、クライアント端末装置として携帯電話機等のモバイル機器ＭＴを用い、ドキュメント処理装置としてプリンタ機能やスキャナ機能等を備えた複合機ＭＦＤを用いている。
本例では、図１（ａ）に示すように、ドキュメント処理ジョブに係るデータはクライアント端末装置ＭＴと複合機ＭＦＤとの間の無線ＬＡＮアドホック通信による一対一の直接通信で行い、同図（ｂ）に示すように、クライアント端末装置ＭＴの認証データは当該クライアント端末装置ＭＴと複合機ＭＦＤとの間の近距離無線通信（赤外線通信等）による一対一の直接通信で行う。
【００１８】
図２には、クライアント端末装置ＭＴと複合機ＭＦＤがそれぞれ備える機能構成を示してある。
クライアント端末装置ＭＴは、複合機ＭＦＤと無線ＬＡＮアドホック通信する第１の通信手段１、複合機ＭＦＤと近距離無線通信する第２の通信手段２、これら通信手段１、２によるデータ通信を制御する通信制御手段３、第２の通信手段２により認証データを送信する認証手段４、情報を画面表示しまたユーザからの入力を受け付けるユーザインタフェース（ＵＩ）５、ジョブ処理対象のドキュメントデータ等を保持するメモリ６を有している。
なお、後述するようにドキュメント処理ジョブに係るデータを第２の通信手段２により送信する例では、通信制御手段３は当該データ通信に際して第２の通信手段２を選択する選択手段７を有している。
【００１９】
複合機ＭＦＤは、クライアント端末装置ＭＴから受信したドキュメントデータの印刷処理やクライアント端末装置ＭＴへ送信するためのドキュメントデータのスキャナ読み取り処理等を行うドキュメント処理手段１０、クライアント端末装置ＭＴと無線ＬＡＮアドホック通信する第１の通信手段１１、クライアント端末装置ＭＴと近距離無線通信する第２の通信手段１２、これら通信手段１１、１２によるデータ通信を制御する通信制御手段１３、第２の通信手段１２により受信した認証データに基づく認証処理を行う認証手段１４、情報を画面表示しまたユーザからの入力を受け付けるユーザインタフェース（ＵＩ）１５を有している。
【００２０】
また、通信制御手段１３は、第１の通信手段１１によるクライアント端末装置ＭＴとのアドホック通信用のＩＰアドレスを割り当て処理するＤＨＣＰ手段１６を有している。
なお、後述するようにドキュメント処理ジョブに係るデータを第２の通信手段１２により送信する例では、通信制御手段１３は当該データ通信に際して第２の通信手段１２を選択する選択手段１７を有している。
【００２１】
ここで、複合機ＭＦＤに設けられたユーザインタフェース（ＵＩ）１５は、クライアント端末装置ＭＴのユーザインタフェース（ＵＩ）５に較べて表示画面が大きく情報表示性や操作性に優れている。
例えば図３に示すように、ユーザインタフェース（ＵＩ）１５は、印刷処理するドキュメントのプレビュー用サムネイル画像１５ａ、印刷設定内容（用紙サイズ、両面印刷やカラー印刷の設定等）１５ｂ、印刷処理の開始ボタン１５ｃ、印刷処理ジョブのキャンセルボタン１５ｄを画面表示し、ユーザに印刷処理がどのように行われるかを提示し、また、印刷処理ジョブの実行に係る指示入力を受け付ける。
【００２２】
なお、複合機ＭＦＤが備える各機能手段１１〜１７は専用の機能装置として構成してもよいが、本例では、複合機ＭＦＤのコンピュータハードウエアにより本発明に係るプログラムを実行することにより構成している。
【００２３】
次に、図４に示す処理手順の一例を参照して、本例に係るドキュメント処理システムを更に詳しく説明する。
ここで、本例では第２の通信手段２、１２として赤外線通信手段を用いるが、認証データだけの通信であれば、クライアント端末装置ＭＴに認証データを記憶したＲＦＩＤを設け、複合機ＭＦＤに設けた非接触リーダによりＲＦＩＤから認証データを読み取る方式で第２の通信手段２、１２を構成することもできる。なお、認証データとドキュメント処理ジョブに係るデータ通信に兼用する場合には、第２の通信手段２、１２は赤外線通信手段やBluetooth無線通信手段等が用いられる。
【００２４】
無線ＬＡＮ通信を行う複合機ＭＦＤは検出用のビーコン信号を定期的に発信しており、クライアント端末装置ＭＴが、第１の通信手段１でビーコン信号を受信して複合機ＭＦＤを検出し、当該ビーコン信号からアドホック接続に必要なサービスセットＩＤ（ＥＳＳＩＤ）、使用周波数チャネル等を取得して、当該複合機ＭＦＤに第１の通信手段１で接続要求（ＲＴＳ）を送信する。
複合機ＭＦＤでは、第１の通信手段１１で接続要求（ＲＴＳ）を受信すると、受信可能な状態であれば、クライアント端末装置ＭＴに第１の通信手段１１で応答（ＣＴＳ）を送信し、これを受信したクライアント端末装置ＭＴが第１の通信手段１でＩＰアドレス要求（ＡＲＰ）を複合機ＭＦＤへ送信する。
【００２５】
複合機ＭＦＤでは、ＤＨＣＰ手段１６がアドホック接続に用いるＩＰアドレスをクライアント端末装置ＭＴに割り当て、複合機ＭＦＤとクライアント端末装置ＭＴとのＩＰアドレスをクライアント端末装置ＭＴへ送信する。
これによって、複合機ＭＦＤとクライアント端末装置ＭＴとの双方で設定処理を行い、両者間に第１の通信手段１、１１によるアドホック接続を確立する。
【００２６】
そして、クライアント端末装置ＭＴでは、認証手段４が第２の通信手段２で認証データを複合機ＭＦＤへ送信し、複合機ＭＦＤでは、認証手段１４が第２の通信手段１２で受信した認証データに基づいて予め許可登録されている通信相手であるかを判定する。
この認証処理により通信許可されている場合には、ＵＩ５からのユーザ指示に応じて、クライアント端末装置ＭＴが第１の通信手段１、１１により送信してくるドキュメント処理ジョブをドキュメント処理手段１０が実行する。
【００２７】
例えば、クライアント端末装置ＭＴがメモリ６に保持しているドキュメントデータを含む印刷処理ジョブを通信手段１、１１により送信してきたときには、ドキュメント処理手段１０は当該ドキュメントデータに基づく印刷処理を行う。
また、例えば、クライアント端末装置ＭＴがメモリ６の格納位置を示す格納パスを含むスキャナ読み取りジョブを送信してきたときには、ドキュメント処理手段１０はドキュメントを画像読み取りして当該ドキュメントデータを第１の通信手段１、１１により格納パスに格納すべくクライアント端末装置ＭＴへ送信する。
【００２８】
ここで、第１の通信手段１、１１による処理ジョブに係る通信と、第２の通信手段２、１２による認証に係る通信とは、いずれが先後して行うようにしても、或いは、両者を同時に行うようにしてもよく、要は、認証したことを条件に処理ジョブに係る処理を実行するようにすればよい。
なお、第２の通信手段としてＲＦＩＤを用いる場合も含めて、クライアント端末装置ＭＴを複合機ＭＦＤの所定の位置に装着することで第２の通信手段２、１２による通信を行うようにしてもよい。
【００２９】
また、複合機ＭＦＤがクライアント端末装置ＭＴを認証した場合に、クライアント端末装置のメモリ６にあるフォルダを複合機ＭＦＤのユーザインタフェース１５上に共有フォルダとして表示させて、ユーザインタフェース１５からの操作入力によりドキュメントデータの入出力ができるようにすることで、印刷やスキャナ読み取り等のドキュメント処理を行うようにしてもよい。なお、共有フォルダとして操作する以外に、クライアント端末装置ＭＴに予め設定されたＷｅｂ画面を複合機ＭＦＤのユーザインタフェース１５上にブラウジングしてＷｅｂ経由で操作してもよい。
【００３０】
また、クライアント端末装置ＭＴの選択手段７又は複合機ＭＦＤの選択手段１７を動作状態に設定して、クライアント端末装置ＭＴがドキュメントデータを複合機ＭＦＤに送信して印刷させる場合、又は、複合機ＭＦＤでスキャナ読み取りしたドキュメントデータをクライアント端末装置ＭＴへ送信する場合に、当該ドキュメントデータのサイズが予め設定した量以下である時には、当該ドキュメントデータの通信を赤外線通信等の第２の通信手段２、１２で行うようにしてもよい。
例えば、ドキュメントデータサイズが小さい場合は、第２の通信手段２、１２を用いて認証データを送信し、これに継続してドキュメントデータの通信を行うようにすれば、通信効率を高めることができる。
【図面の簡単な説明】
【００３１】
【図１】本発明の一実施形態に係るドキュメント処理システムを示す図である。
【図２】本発明の一実施形態に係るドキュメント処理システムの機能構成を示す図である。
【図３】本発明の一実施形態に係るドキュメント処理装置のユーザインタフェースを示す図である。
【図４】本発明の一実施形態に係るドキュメント処理手順を説明する図である。
【符号の説明】
【００３２】
１、１１：第１の通信手段、  ２、１２：第２の通信手段、
３、１３：通信制御手段、  ４、１４：認証手段、
５、１５：ユーザインタフェース、  ７、１７：選択手段、
１０：ドキュメント処理手段、  １６：ＤＨＣＰ手段、
ＭＴ：クライアント端末装置、  ＭＦＤ：複合機（ドキュメント処理装置）。
【図１】
2006173949.tif 000003
【図２】
2006173949.tif 000004
【図３】
2006173949.tif 000005
【図４】
2006173949.tif 000006